(57)【特許請求の範囲】
【請求項１】
１つ以上のサービスエリアを有する１つ以上の基地局と移動局とを備えた移動通信システムであって、
前記基地局の各々は、
前記サービスエリアごとのダイバーシチハンドオーバの追加閾値および／または削除閾値に関する情報を決定する手段と、
前記移動局に、前記サービスエリアごとのダイバーシチハンドオーバの追加閾値および／または削除閾値に関する情報を送信する手段と、
前記サービスエリアごとに前記移動局に参照信号を送信する手段とを備え、
前記移動局は、
前記基地局から前記ダイバーシチハンドオーバの追加閾値および／または削除閾値に関する情報を受信する手段と、
前記基地局から前記参照信号を受信し、その受信電力または伝搬損失を測定する手段と、
前記サービスエリアの各々について、該サービスエリアの参照信号の受信電力または伝搬損失と、該サービスエリアのダイバーシチハンドオーバの追加閾値および／または削除閾値に関する情報から得られる追加閾値および／または削除閾値とを比較して、該サービスエリアを、前記移動局が新たに通信を開始するサービスエリアの候補にするか否か、および／または該サービスエリアを、前記移動局が通信を中止するサービスエリアの候補にするか否かを決定する手段とを備えたことを特徴とする移動通信システム。
【請求項２】
１つ以上のサービスエリアを有する１つ以上の基地局と移動局とを備えた移動通信システムであって、
前記基地局の各々は、
前記サービスエリアごとのダイバーシチハンドオーバの追加閾値および／または削除閾値に関する情報を決定する手段と、
前記移動局に、前記サービスエリアごとのダイバーシチハンドオーバの追加閾値および／または削除閾値に関する情報を送信する手段と、
前記サービスエリアごとに前記移動局に参照信号を送信する手段とを備え、
前記移動局は、
前記基地局から前記ダイバーシチハンドオーバの追加閾値および／または削除閾値に関する情報を受信する手段と、
前記基地局から前記参照信号を受信し、その受信品質を測定する手段と、
前記サービスエリアの各々について、該サービスエリアの参照信号の受信品質と、該サービスエリアのダイバーシチハンドオーバの追加閾値および／または削除閾値に関する情報から得られる追加閾値および／または削除閾値とを比較して、該サービスエリアを、前記移動局が新たに通信を開始するサービスエリアの候補にするか否か、および／または該サービスエリアを、前記移動局が通信を中止するサービスエリアの候補にするか否かを決定する手段とを備えたことを特徴とする移動通信システム。
【請求項３】
請求項１または２に記載の移動通信システムであって、前記決定する手段は、前記サービスエリアごとに該基地局への上り干渉量を測定する手段を備え、前記ダイバーシチハンドオーバの追加閾値および／または削除閾値に関する情報を、前記上り干渉量に基づいて決定することを特徴とする移動通信システム。
【請求項４】
移動局であって、
１つ以上のサービスエリアを有する１つ以上の基地局から前記サービスエリアごとのダイバーシチハンドオーバの追加閾値および／または削除閾値に関する情報を受信する手段と、
前記サービスエリアごとに前記基地局から参照信号を受信し、その受信電力または伝搬損失を測定する手段と、
前記サービスエリアの各々について、該サービスエリアの参照信号の受信電力または伝搬損失と、該サービスエリアのダイバーシチハンドオーバの追加閾値および／または削除閾値に関する情報から得られる追加閾値および／または削除閾値とを比較して、該サービスエリアを、前記移動局が新たに通信を開始するサービスエリアの候補にするか否か、および／または該サービスエリアを、前記移動局が通信を中止するサービスエリアの候補にするか否かを決定する手段と
を備えたことを特徴とする移動局。
【請求項５】
移動局であって、
１つ以上のサービスエリアを有する１つ以上の基地局から前記サービスエリアごとのダイバーシチハンドオーバの追加閾値および／または削除閾値に関する情報を受信する手段と、
前記サービスエリアごとに前記基地局から参照信号を受信し、その受信品質を測定する手段と、
前記サービスエリアの各々について、該サービスエリアの参照信号の受信品質と、該サービスエリアのダイバーシチハンドオーバの追加閾値および／または削除閾値に関する情報から得られる追加閾値および／または削除閾値とを比較して、該サービスエリアを、前記移動局が新たに通信を開始するサービスエリアの候補にするか否か、および／または該サービスエリアを、前記移動局が通信を中止するサービスエリアの候補にするか否かを決定する手段と
を備えたことを特徴とする移動局。
【請求項６】
１つ以上のサービスエリアを有する１つ以上の基地局と移動局とを備えた移動通信システムにおける移動通信制御方法であって、
前記基地局において、前記サービスエリアごとのダイバーシチハンドオーバの追加閾値および／または削除閾値に関する情報を決定するステップと、
前記基地局から前記移動局に、前記サービスエリアごとのダイバーシチハンドオーバの追加閾値および／または削除閾値に関する情報を送信するステップと、
前記サービスエリアごとに、前記基地局から前記移動局に、参照信号を送信するステップと、
前記サービスエリアごとに、前記移動局において、前記参照信号の受信電力または伝搬損失を測定するステップと、
前記移動局において、前記サービスエリアの各々について、該サービスエリアの参照信号の受信電力または伝搬損失と、該サービスエリアのダイバーシチハンドオーバの追加閾値および／または削除閾値に関する情報から得られる追加閾値および／または削除閾値とを比較して、該サービスエリアを、前記移動局が新たに通信を開始するサービスエリアの候補にするか否か、および／または該サービスエリアを、前記移動局が通信を中止するサービスエリアの候補にするか否かを決定するステップと
を備えることを特徴とする移動通信制御方法。
【請求項７】
１つ以上のサービスエリアを有する１つ以上の基地局と移動局とを備えた移動通信システムにおける移動通信制御方法であって、
前記基地局において、前記サービスエリアごとのダイバーシチハンドオーバの追加閾値および／または削除閾値に関する情報を決定するステップと、
前記基地局から前記移動局に、前記サービスエリアごとのダイバーシチハンドオーバの追加閾値および／または削除閾値に関する情報を送信するステップと、
前記サービスエリアごとに、前記基地局から前記移動局に、参照信号を送信するステップと、
前記サービスエリアごとに、前記移動局において、前記参照信号の受信品質を測定するステップと、
前記移動局において、前記サービスエリアの各々について、該サービスエリアの参照信号の受信品質と、該サービスエリアのダイバーシチハンドオーバの追加閾値および／または削除閾値に関する情報から得られる追加閾値および／または削除閾値とを比較して、該サービスエリアを、前記移動局が新たに通信を開始するサービスエリアの候補にするか否か、および／または該サービスエリアを、前記移動局が通信を中止するサービスエリアの候補にするか否かを決定するステップと
を備えることを特徴とする移動通信制御方法。
【請求項８】
請求項６または７に記載の移動通信制御方法であって、前記決定するステップは、前記サービスエリアごとに該基地局への上り干渉量を測定するステップを備え、前記ダイバーシチハンドオーバの追加閾値および／または削除閾値に関する情報を、前記上り干渉量に基づいて決定することを特徴とする移動通信制御方法。
【請求項９】
移動局における移動通信制御方法であって、
１つ以上のサービスエリアを有する１つ以上の基地局から前記サービスエリアごとのダイバーシチハンドオーバの追加閾値および／または削除閾値に関する情報を受信するステップと、
前記サービスエリアごとに前記基地局から参照信号を受信し、その受信電力または伝搬損失を測定するステップと、
前記サービスエリアの各々について、該サービスエリアの参照信号の受信電力または伝搬損失と、該サービスエリアのダイバーシチハンドオーバの追加閾値および／または削除閾値に関する情報から得られる追加閾値および／または削除閾値とを比較して、該サービスエリアを、前記移動局が新たに通信を開始するサービスエリアの候補にするか否か、および／または該サービスエリアを、前記移動局が通信を中止するサービスエリアの候補にするか否かを決定するステップと
を備えることを特徴とする移動通信制御方法。
【請求項１０】
移動局における移動通信制御方法であって、
１つ以上のサービスエリアを有する１つ以上の基地局から前記サービスエリアごとのダイバーシチハンドオーバの追加閾値および／または削除閾値に関する情報を受信するステップと、
前記サービスエリアごとに前記基地局から参照信号を受信し、その受信品質を測定するステップと、
前記サービスエリアの各々について、該サービスエリアの参照信号の受信品質と、該サービスエリアのダイバーシチハンドオーバの追加閾値および／または削除閾値に関する情報から得られる追加閾値および／または削除閾値とを比較して、該サービスエリアを、前記移動局が新たに通信を開始するサービスエリアの候補にするか否か、および／または該サービスエリアを、前記移動局が通信を中止するサービスエリアの候補にするか否かを決定するステップと
を備えることを特徴とする移動通信制御方法。
【発明の詳細な説明】
【０００１】
【発明の属する技術分野】
本発明は、移動通信システム、基地局、移動局および移動通信制御方法に関する。
【０００２】
【従来の技術】
従来の移動通信におけるＤＨＯ（ダイバーシチハンドオーバ）に関する閾値は移動局内ですべての基地局に共通に定義されていた。
【０００３】
図１は、従来のＤＨＯ追加候補（新たに通信を行う基地局の候補）の決定方法を説明するための図である。基地局は、移動局との通信を行う信号とは別に、常に一定の送信電力にて参照用の信号（例えば、とまり木信号）を送信しているものとする。図１において、縦軸は移動局におけるとまり木信号の受信電力を示す。移動局は、基地局からのとまり木信号の受信電力を常に測定し、複数（もしくは単数）の通信中の基地局からのとまり木信号の受信電力の中で、最も受信電力の高いものを基準とし、本値よりＸ０ｄｂだけ低い受信電力の値をＤＨＯ追加閾値とする。非通信中の基地局（移動局が通信を行っていない基地局）のとまり木受信電力（とまり木信号の受信電力）に、ＤＨＯ追加閾値以上のものが存在する場合、その基地局をＤＨＯ追加候補とする。図１の例において、基地局Ｂのとまり木受信電力は追加閾値以上であるから基地局ＢはＤＨＯ追加候補となり、基地局Ｃのとまり木受信電力は追加閾値以上でないから基地局ＣはＤＨＯ追加候補とならない。
【０００４】
図２は、従来のＤＨＯ削除候補（通信を中止する基地局の候補）の決定方法を説明するための図である。移動局は、基地局からのとまり木信号の受信電力を常に測定し、複数（もしくは単数）の通信中の基地局からのとまり木信号の受信電力の中で、最も受信電力の高いもの（図２の例ではＶA）を基準とし、本値よりＹ０ｄｂだけ低い受信電力の値をＤＨＯ削除閾値とする。通信中の基地局のとまり木受信電力に、ＤＨＯ削除閾値以下のものが存在する場合、その基地局をＤＨＯ削除候補とする。図２の例において、基地局Ｃのとまり木受信電力ＶCは削除閾値以下であるから基地局ＣはＤＨＯ削除候補となり、基地局Ｂのとまり木受信電力ＶBは削除閾値以下でないから基地局ＣはＤＨＯ削除候補とならない。
【０００５】
図３は、従来の制御においてＤＨＯ追加候補を決定する例を説明するための図である。まず、移動局１０が基地局２０の（サービス）エリアに在圏し、基地局２０とのみ通信を行っていたとする。移動局１０は基地局２０から通知されるＸ０ｄＢを用いてＤＨＯ追加閾値を計算する。移動局１０は基地局３０がＤＨＯ追加閾値計算用にＸ１ｄＢ（＜Ｘ０ｄｂ）を送信していてもその情報を無視する。その後、移動局１０が基地局３０に近づいて行ったとする。移動局１０が基地局３０にある程度近づくと、基地局３０のとまり木受信電力がＤＨＯ追加閾値を超える。図３において、３２は基地局３０のとまり木受信電力がＤＨＯ追加閾値を超えるエリアを示し、３１はエリア３２の半径を示す。したがって、移動局１０がエリア３２に入ると、基地局３０がＤＨＯ追加候補となる。なお、仮に基地局２０がＤＨＯ追加閾値計算用にＸ１ｄＢを通知し、移動局１０がこれを用いてＤＨＯ追加閾値を計算する場合、移動局１０がエリア３４に入ったときに、基地局３０がＤＨＯ追加候補となる。
【０００６】
図４も、従来の制御においてＤＨＯ追加候補を決定する例を説明するための図である。まず、移動局１０が基地局３０の（サービス）エリアに在圏し、基地局３０とのみ通信を行っていたとする。移動局１０は基地局３０から通知されるＸ１ｄＢを用いてＤＨＯ追加閾値を計算する。移動局１０は基地局２０がＤＨＯ追加閾値計算用にＸ０ｄＢを送信していてもその情報を無視する。その後、移動局１０が基地局２０に近づいて行ったとする。移動局１０が基地局２０にある程度近づくと、基地局２０のとまり木受信電力がＤＨＯ追加閾値を超える。図４において、２４は基地局２０のとまり木受信電力がＤＨＯ追加閾値を超えるエリアを示し、２３はエリア２４の半径を示す。したがって、移動局１０がエリア２４に入ると、基地局２０がＤＨＯ追加候補となる。なお、仮に基地局３０がＤＨＯ追加閾値計算用にＸ０ｄＢを通知し、移動局１０がこれを用いてＤＨＯ追加閾値を計算する場合、移動局１０がエリア２２に入ったときに、基地局２０がＤＨＯ追加候補となる。
【０００７】
ＤＨＯ削除候補の決定についても、ＤＨＯ追加候補の決定と同様である。
【０００８】
【発明が解決しようとする課題】
このように、従来の移動通信におけるＤＨＯに関する閾値は移動局内ですべての基地局に共通に定義され、基地局毎の運用に応じてリアルタイムに変更することができなかった。したがって、ある基地局で無線容量等が不足した際にＤＨＯ追加閾値を変更することにより、その基地局のＤＨＯブランチ接続数を削減し、無線容量不足が回避できる場合等があっても対処できなかった。また、同様に、ＤＨＯ削除閾値を変更し、ある基地局に接続中のＤＨＯブランチを解放させ、その基地局の無線容量不足を回避できる場合等があっても対処できなかった。
【０００９】
そこで、本発明の目的は、基地局のサービスエリア毎にダイバーシチハンドオーバに関する情報を設定し、移動局がサービスエリア毎にそのサービスエリアの情報に基づいて、そのサービスエリアを、移動局が新たに通信を開始するサービスエリアの候補（移動局が新たに通信を開始する区域としての候補）にするか否か、および／またはそのサービスエリアを、移動局が通信を中止するサービスエリアの候補（移動局が通信を中止する区域としての候補）にするか否かを決定するようにして、無線容量の確保等を図ることである。
【００１０】
【課題を解決するための手段】
上記目的を達成するために、請求項１に記載の発明は、１つ以上のサービスエリアを有する１つ以上の基地局と移動局とを備えた移動通信システムであって、前記基地局の各々は、前記サービスエリアごとのダイバーシチハンドオーバの追加閾値および／または削除閾値に関する情報を決定する手段と、前記移動局に、前記サービスエリアごとのダイバーシチハンドオーバの追加閾値および／または削除閾値に関する情報を送信する手段と、前記サービスエリアごとに前記移動局に参照信号を送信する手段とを備え、前記移動局は、前記基地局から前記ダイバーシチハンドオーバの追加閾値および／または削除閾値に関する情報を受信する手段と、前記基地局から前記参照信号を受信し、その受信電力または伝搬損失を測定する手段と、前記サービスエリアの各々について、該サービスエリアの参照信号の受信電力または伝搬損失と、該サービスエリアのダイバーシチハンドオーバの追加閾値および／または削除閾値に関する情報から得られる追加閾値および／または削除閾値とを比較して、該サービスエリアを、前記移動局が新たに通信を開始するサービスエリアの候補にするか否か、および／または該サービスエリアを、前記移動局が通信を中止するサービスエリアの候補にするか否かを決定する手段とを備えたことを特徴とする。
【００１１】
請求項２に記載の発明は、１つ以上のサービスエリアを有する１つ以上の基地局と移動局とを備えた移動通信システムであって、前記基地局の各々は、前記サービスエリアごとのダイバーシチハンドオーバの追加閾値および／または削除閾値に関する情報を決定する手段と、前記移動局に、前記サービスエリアごとのダイバーシチハンドオーバの追加閾値および／または削除閾値に関する情報を送信する手段と、前記サービスエリアごとに前記移動局に参照信号を送信する手段とを備え、前記移動局は、前記基地局から前記ダイバーシチハンドオーバの追加閾値および／または削除閾値に関する情報を受信する手段と、前記基地局から前記参照信号を受信し、その受信品質を測定する手段と、前記サービスエリアの各々について、該サービスエリアの参照信号の受信品質と、該サービスエリアのダイバーシチハンドオーバの追加閾値および／または削除閾値に関する情報から得られる追加閾値および／または削除閾値とを比較して、該サービスエリアを、前記移動局が新たに通信を開始するサービスエリアの候補にするか否か、および／または該サービスエリアを、前記移動局が通信を中止するサービスエリアの候補にするか否かを決定する手段とを備えたことを特徴とする。
【００１２】
請求項３に記載の発明は、請求項１または２に記載の移動通信システムであって、前記決定する手段は、前記サービスエリアごとに該基地局への上り干渉量を測定する手段を備え、前記ダイバーシチハンドオーバの追加閾値および／または削除閾値に関する情報を、前記上り干渉量に基づいて決定することを特徴とする。
【００１４】
請求項４に記載の発明は、移動局であって、１つ以上のサービスエリアを有する１つ以上の基地局から前記サービスエリアごとのダイバーシチハンドオーバの追加閾値および／または削除閾値に関する情報を受信する手段と、前記サービスエリアごとに前記基地局から参照信号を受信し、その受信電力または伝搬損失を測定する手段と、前記サービスエリアの各々について、該サービスエリアの参照信号の受信電力または伝搬損失と、該サービスエリアのダイバーシチハンドオーバの追加閾値および／または削除閾値に関する情報から得られる追加閾値および／または削除閾値とを比較して、該サービスエリアを、前記移動局が新たに通信を開始するサービスエリアの候補にするか否か、および／または該サービスエリアを、前記移動局が通信を中止するサービスエリアの候補にするか否かを決定する手段とを備えたことを特徴とする。
【００１５】
請求項５に記載の発明は、移動局であって、１つ以上のサービスエリアを有する１つ以上の基地局から前記サービスエリアごとのダイバーシチハンドオーバの追加閾値および／または削除閾値に関する情報を受信する手段と、前記サービスエリアごとに前記基地局から参照信号を受信し、その受信品質を測定する手段と、前記サービスエリアの各々について、該サービスエリアの参照信号の受信品質と、該サービスエリアのダイバーシチハンドオーバの追加閾値および／または削除閾値に関する情報から得られる追加閾値および／または削除閾値とを比較して、該サービスエリアを、前記移動局が新たに通信を開始するサービスエリアの候補にするか否か、および／または該サービスエリアを、前記移動局が通信を中止するサービスエリアの候補にするか否かを決定する手段とを備えたことを特徴とする。
【００１６】
請求項６に記載の発明は、１つ以上のサービスエリアを有する１つ以上の基地局と移動局とを備えた移動通信システムにおける移動通信制御方法であって、前記基地局において、前記サービスエリアごとのダイバーシチハンドオーバの追加閾値および／または削除閾値に関する情報を決定するステップと、前記基地局から前記移動局に、前記サービスエリアごとのダイバーシチハンドオーバの追加閾値および／または削除閾値に関する情報を送信するステップと、前記サービスエリアごとに、前記基地局から前記移動局に、参照信号を送信するステップと、前記サービスエリアごとに、前記移動局において、前記参照信号の受信電力または伝搬損失を測定するステップと、前記移動局において、前記サービスエリアの各々について、該サービスエリアの参照信号の受信電力または伝搬損失と、該サービスエリアのダイバーシチハンドオーバの追加閾値および／または削除閾値に関する情報から得られる追加閾値および／または削除閾値とを比較して、該サービスエリアを、前記移動局が新たに通信を開始するサービスエリアの候補にするか否か、および／または該サービスエリアを、前記移動局が通信を中止するサービスエリアの候補にするか否かを決定するステップとを備えることを特徴とする。
【００１７】
請求項７に記載の発明は、１つ以上のサービスエリアを有する１つ以上の基地局と移動局とを備えた移動通信システムにおける移動通信制御方法であって、前記基地局において、前記サービスエリアごとのダイバーシチハンドオーバの追加閾値および／または削除閾値に関する情報を決定するステップと、前記基地局から前記移動局に、前記サービスエリアごとのダイバーシチハンドオーバの追加閾値および／または削除閾値に関する情報を送信するステップと、前記サービスエリアごとに、前記基地局から前記移動局に、参照信号を送信するステップと、前記サービスエリアごとに、前記移動局において、前記参照信号の受信品質を測定するステップと、前記移動局において、前記サービスエリアの各々について、該サービスエリアの参照信号の受信品質と、該サービスエリアのダイバーシチハンドオーバの追加閾値および／または削除閾値に関する情報から得られる追加閾値および／または削除閾値とを比較して、該サービスエリアを、前記移動局が新たに通信を開始するサービスエリアの候補にするか否か、および／または該サービスエリアを、前記移動局が通信を中止するサービスエリアの候補にするか否かを決定するステップとを備えることを特徴とする。
【００１８】
請求項８に記載の発明は、請求項６または７に記載の移動通信制御方法であって、前記決定するステップは、前記サービスエリアごとに該基地局への上り干渉量を測定するステップを備え、前記ダイバーシチハンドオーバの追加閾値および／または削除閾値に関する情報を、前記上り干渉量に基づいて決定することを特徴とする。
【００２０】
請求項９に記載の発明は、移動局における移動通信制御方法であって、１つ以上のサービスエリアを有する１つ以上の基地局から前記サービスエリアごとのダイバーシチハンドオーバの追加閾値および／または削除閾値に関する情報を受信するステップと、前記サービスエリアごとに前記基地局から参照信号を受信し、その受信電力または伝搬損失を測定するステップと、前記サービスエリアの各々について、該サービスエリアの参照信号の受信電力または伝搬損失と、該サービスエリアのダイバーシチハンドオーバの追加閾値および／または削除閾値に関する情報から得られる追加閾値および／または削除閾値とを比較して、該サービスエリアを、前記移動局が新たに通信を開始するサービスエリアの候補にするか否か、および／または該サービスエリアを、前記移動局が通信を中止するサービスエリアの候補にするか否かを決定するステップとを備えることを特徴とする。
【００２１】
請求項１０に記載の発明は、移動局における移動通信制御方法であって、１つ以上のサービスエリアを有する１つ以上の基地局から前記サービスエリアごとのダイバーシチハンドオーバの追加閾値および／または削除閾値に関する情報を受信するステップと、前記サービスエリアごとに前記基地局から参照信号を受信し、その受信品質を測定するステップと、前記サービスエリアの各々について、該サービスエリアの参照信号の受信品質と、該サービスエリアのダイバーシチハンドオーバの追加閾値および／または削除閾値に関する情報から得られる追加閾値および／または削除閾値とを比較して、該サービスエリアを、前記移動局が新たに通信を開始するサービスエリアの候補にするか否か、および／または該サービスエリアを、前記移動局が通信を中止するサービスエリアの候補にするか否かを決定するステップとを備えることを特徴とする。
【００２２】
以上の構成によれば、基地局のサービスエリア毎にダイバーシチハンドオーバに関する情報を設定し、移動局がサービスエリア毎にそのサービスエリアの情報に基づいて、そのサービスエリアを、移動局が新たに通信を開始するサービスエリアの候補にするか否か、および／またはそのサービスエリアを、移動局が通信を中止するサービスエリアの候補にするか否かを決定するようにして、無線容量の確保等を図ることができる。
【００２３】
【発明の実施の形態】
以下、図面を参照しつつ本発明の実施の形態について詳しく説明する。本実施形態では、各基地局が１つのサービスエリアを有する場合を例に説明する。
【００２４】
図５は、本実施形態におけるＤＨＯ追加候補の決定方法を説明するための図であり、図６は、移動局におけるＤＨＯ追加候補の決定処理例を示すフローチャートである。基地局は、移動局との通信を行う信号とは別に、常に一定の送信電力にて参照用の信号（本実施形態においては、とまり木信号）を送信しているものとする。図５において、縦軸は移動局におけるとまり木信号の受信電力を示す。移動局は、基地局からのとまり木信号の受信電力を常に測定し（ステップＳ１０１）、複数（もしくは単数）の通信中の基地局からのとまり木受信電力の中で、最も受信電力の高いものを基準とし、本値よりＸｄｂだけ低い受信電力の値をＤＨＯ追加閾値とする。ここで、Ｘの値は基地局によって異なる。各基地局は自局のＸの値を移動局に送信する（ステップＳ１０２）。Ｘの値は、例えばとまり木信号に含めて送信することができる。移動局はＸの値を基地局（サービスエリア）毎に記憶し、基地局（サービスエリア）毎にその基地局（サービスエリア）のＸの値を用いて制御を行う（ステップＳ１０３）。
【００２５】
図５の例において、通信中の基地局からのとまり木受信電力の中で、最も受信電力の高いものはＶAである。ここで、非通信中の基地局ＢのＸの値ＸBがＸ0である場合、ＤＨＯ追加閾値はＴ0であり、ＶBはＴ0よりも大きいので、基地局Ｂ（のサービスエリア）はＤＨＯ追加候補となる。ＸBの値がＸ2である場合にも、同様に基地局ＢはＤＨＯ追加候補となる。ただし、ＸBの値がＸ1である場合には、ＶBがＤＨＯ追加閾値Ｔ1よりも小さいので、基地局ＢはＤＨＯ追加候補とならない。非通信中の基地局Ｃについては、そのＸの値ＸCがＸ2である場合、基地局ＣはＤＨＯ追加候補となり、ＸCがＸ0またはＸ1である場合、基地局ＣはＤＨＯ追加候補とならない。
【００２６】
各基地局は、Ｘの値を変化させることにより、自局に接続する移動局の数を調整することができる。無線容量が不足しているような場合には、Ｘの値を小さくすることにより、自局に接続する移動局の数を減らすことができる。Ｘの値は、例えば、各基地局がその基地局への上り干渉量を測定し、その上り干渉量に基づいて定めるようにすることができる。
【００２７】
図７は、本実施形態におけるＤＨＯ削除候補の決定方法を説明するための図であり、図８は、移動局におけるＤＨＯ削除候補の決定処理例を示すフローチャートである。移動局は、基地局からのとまり木信号の受信電力を常に測定し（ステップＳ２０１）、複数（もしくは単数）の通信中の基地局からのとまり木信号の受信電力の中で、最も受信電力の高いものを基準とし、本値よりＹｄｂだけ低い受信電力の値をＤＨＯ削除閾値とする。ここで、Ｙの値は基地局によって異なる。各基地局は自局のＹの値を移動局に送信する（ステップＳ２０２）。Ｙの値は、例えばとまり木信号に含めて送信することができる。移動局はＹの値を基地局（サービスエリア）毎に記憶し、基地局（サービスエリア）毎にその基地局（サービスエリア）のＹの値を用いて制御を行う（ステップＳ２０３）。
【００２８】
図７の例において、通信中の基地局からのとまり木受信電力の中で、最も受信電力の高いものはＶAである。ここで、通信中の基地局ＣのＹの値ＹCがＹ0である場合、ＤＨＯ削除閾値はＴ0であり、ＶCはＴ0よりも小さいので、基地局Ｃ（のサービスエリア）はＤＨＯ削除候補となる。ＹCの値がＹ1である場合にも、同様に基地局ＣはＤＨＯ削除候補となる。ただし、ＹCの値がＹ2である場合には、ＶCがＤＨＯ削除閾値Ｔ2よりも大きいので、基地局ＣはＤＨＯ削除候補とならない。通信中の基地局Ｂについては、そのＹの値ＹBがＹ1である場合、基地局ＢはＤＨＯ削除候補となり、ＹBがＹ0またはＹ2である場合、基地局ＣはＤＨＯ削除候補とならない。
【００２９】
各基地局は、Ｙの値を変化させることにより、自局に接続している移動局の数を調整することができる。無線容量が不足しているような場合には、Ｙの値を小さくすることにより、自局に接続している移動局の数を減らすことができる。Ｙの値は、例えば、各基地局がその基地局への上り干渉量を測定し、その上り干渉量に基づいて定めるようにすることができる。
【００３０】
図９は、基地局の構成例を示すブロック図である。基地局１２０は、通信部１４１、通信信号生成部１４２、とまり木信号生成部１４３、ＤＨＯ情報生成部１４４、干渉量測定部１４５、および通信信号解析部１４６を備える。基地局１２０は、移動局との間で通信信号を送受信することにより通信を行う。通信信号生成部１４２で生成された通信信号は、通信部１４１を介して移動局に送信される。また、通信部１４１を介して受信した移動局からの通信信号は、通信信号解析部１４６において解析される。また、基地局１２０は、とまり木信号生成部１４３でとまり木信号を生成し、通信部１４１を介して移動局に送信する。とまり木信号には、ＤＨＯ情報生成部１４４で生成されたＤＨＯに関する情報（上述のＸの値およびＹの値）が含まれる。ＤＨＯ情報生成部１４４は、干渉量測定部１４５で測定された上り干渉量に基づいてＤＨＯに関する情報を生成する。
【００３１】
図１０は、移動局の構成例を示すブロック図である。移動局１１０は、通信部１１１、通信信号生成部１１２、通信信号解析部１１６、とまり木信号解析部１１７、受信品質測定部１１８、およびＤＨＯ追加・削除候補決定部１１９を備える。移動局１１０は、基地局との間で通信信号を送受信することにより通信を行う。通信信号生成部１１２で生成された通信信号は、通信部１１１を介して基地局に送信される。また、通信部１１１を介して受信した基地局からの通信信号は、通信信号解析部１１６において解析される。また、移動局１１０は、通信部１１１を介して受信した基地局からのとまり木信号を、とまり木信号解析部１１７において解析し、とまり木信号に含まれるＤＨＯに関する情報を取得する。また、受信電力測定部１１８においてとまり木信号の受信電力を測定する。そして、ＤＨＯ追加・削除候補決定部１１９において、取得したＤＨＯに関する情報および測定した受信電力に基づいて、とまり木信号を送信した基地局（のサービスエリア）を、ＤＨＯ追加候補にするか否か、およびＤＨＯ削除候補にするか否かを決定する。ＤＨＯ追加候補にすることを決定した場合には、その旨を通信信号によりとまり木信号を送信した基地局に通知し、当該基地局との間でＤＨＯ追加のための処理を行う。また、ＤＨＯ削除候補にすることを決定した場合にも、その旨を通信信号によりとまり木信号を送信した基地局に通知し、当該基地局との間でＤＨＯ削除のための処理を行う。
【００３２】
図１１は、本実施形態の制御においてＤＨＯ追加候補を決定する例を説明するための図である。基地局１３０の構成例は、基地局１２０の構成例（図９）と同様である。まず、移動局１１０が基地局１２０の（サービス）エリアに在圏し、基地局１２０とのみ通信を行っていたとする。移動局１１０は基地局１２０から通知されるＸ０ｄＢを用いて、基地局１２０用のＤＨＯ追加閾値を計算する。また、移動局１１０は基地局１３０から通知されるＸ１ｄＢ（＜Ｘ０ｄｂ）を用いて、基地局１３０用のＤＨＯ追加閾値を計算する。その後、移動局１１０が基地局１３０に近づいて行ったとする。移動局１１０が基地局１３０にある程度近づくと、基地局１３０のとまり木受信電力が基地局１３０用のＤＨＯ追加閾値を超える。図１１において、１３４は基地局１３０のとまり木受信電力が基地局１３０用のＤＨＯ追加閾値を超えるエリアを示し、１３３はエリア１３４の半径を示す。したがって、移動局１１０がエリア１３４に入ると、基地局１３０がＤＨＯ追加候補となる。なお、仮に基地局１３０がＤＨＯ追加閾値計算用にＸ０ｄＢを通知し、移動局１１０がこれを用いて基地局１３０のＤＨＯ追加閾値を計算する場合、移動局１１０がエリア１３２に入ったときに、基地局１３０がＤＨＯ追加候補となる。
【００３３】
次に、移動局１１０が基地局１３０の（サービス）エリアに在圏し、基地局１３０とのみ通信を行っていたとする。移動局１１０は基地局１３０から通知されるＸ１ｄＢを用いて、基地局１３０用のＤＨＯ追加閾値を計算する。また、移動局１１０は基地局１２０から通知されるＸ０ｄＢを用いて、基地局１２０用のＤＨＯ追加閾値を計算する。その後、移動局１１０が基地局１２０に近づいて行ったとする。移動局１１０が基地局１２０にある程度近づくと、基地局１２０のとまり木受信電力が基地局１２０用のＤＨＯ追加閾値を超える。図１１において、１２２は基地局１２０のとまり木受信電力が基地局１２０用のＤＨＯ追加閾値を超えるエリアを示し、１２１はエリア１２２の半径を示す。したがって、移動局１１０がエリア１２２に入ると、基地局１２０がＤＨＯ追加候補となる。なお、仮に基地局１２０がＤＨＯ追加閾値計算用にＸ１ｄＢを通知し、移動局１１０がこれを用いて基地局１２０のＤＨＯ追加閾値を計算する場合、移動局１１０がエリア１２４に入ったときに、基地局１２０がＤＨＯ追加候補となる。
【００３４】
ＤＨＯ削除候補の決定についても、ＤＨＯ追加候補の決定と同様である。
【００３５】
本実施形態においては、とまり木信号の受信電力を用いて、ＤＨＯ追加候補およびＤＨＯ削除候補を判断しているが、とまり木信号の受信品質を示す他の指標、例えば、伝搬損失（とまり木信号の送信電力−とまり木信号の受信電力）、受信ＳＩＲ（Signal-to-Interference power Ratio）等を用いて、ＤＨＯ追加候補およびＤＨＯ削除候補を判断するようにすることもできる。とまり木信号の送信電力は、一定値としてもよいし、とまり木信号に含めて移動局に送信するようにしてもよい。
【００３６】
また、以上の説明では、各基地局が１つのサービスエリアを有する場合を例に説明したが、１つの基地局が２つ以上のサービスエリアを有する場合にも本発明を適用することができる。その場合、基地局から移動局に、サービスエリアごとのダイバーシチハンドオーバに関する情報を送信し、さらに、サービスエリアごとに参照信号を送信する。そして、移動局では、サービスエリアごとに参照信号の受信電力、伝搬損失、受信ＳＩＲ等を測定し、サービスエリアごとに、そのサービスエリアを、移動局が新たに通信を開始するサービスエリアの候補にする否か（ＤＨＯ追加の候補とするか否か）、および／またはそのサービスエリアを、移動局が通信を中止するサービスエリアの候補にするか否か（ＤＨＯ削除の候補とするか否か）を決定すればよい。
【００３７】
１つの基地局が２つ以上のサービスエリアを有する場合としては、例えば、基地局の周囲３６０度を６０度ずつに分割して６つのセクタ（サービスエリア）を設けた場合が考えられる。携帯電話のエリア構成においては、６０度ずつに分割して６つのセクタを設けたり、１２０度ずつに分割して３つのセクタを設けたりすることが一般に行われている。
【００３８】
【発明の効果】
以上説明したように本発明によれば、基地局のサービスエリア毎にダイバーシチハンドオーバに関する情報を設定し、移動局がサービスエリア毎にそのサービスエリアの情報に基づいて、そのサービスエリアを、移動局が新たに通信を開始するサービスエリアの候補にするか否か、および／またはそのサービスエリアを、移動局が通信を中止するサービスエリアの候補にするか否かを決定するようにして、無線容量の確保等を図ることができる。
【図面の簡単な説明】
【図１】従来のＤＨＯ追加候補の決定方法を説明するための図である。
【図２】従来のＤＨＯ削除候補の決定方法を説明するための図である。
【図３】従来の制御においてＤＨＯ追加候補を決定する例を説明するための図である。
【図４】従来の制御においてＤＨＯ追加候補を決定する例を説明するための図である。
【図５】本発明の実施形態におけるＤＨＯ追加候補の決定方法を説明するための図である。
【図６】移動局におけるＤＨＯ追加候補の決定処理例を示すフローチャートである。
【図７】本発明の実施形態におけるＤＨＯ削除候補の決定方法を説明するための図である。
【図８】移動局におけるＤＨＯ削除候補の決定処理例を示すフローチャートである。
【図９】基地局の構成例を示すブロック図である。
【図１０】移動局の構成例を示すブロック図である。
【図１１】本発明の実施形態の制御においてＤＨＯ追加候補を決定する例を説明するための図である。
【符号の説明】
１０、１１０  移動局
２０、３０、１２０、１３０  基地局
２２、２４、３２、３４、１２２、１２４、１３２、１３４  エリア
２３、３１、１２１、１３３  半径
１１１、１４１  通信部
１１２、１４２  通信信号生成部
１１６、１４６  通信信号解析部
１１７  とまり木信号解析部
１１８  受信電力測定部
１１９  ＤＨＯ追加・削除候補決定部
１４３  とまり木信号生成部
１４４  ＤＨＯ情報生成部
１４５  干渉量測定部
【図１】
0003706322.tif 000002
【図２】
0003706322.tif 000003
【図３】
0003706322.tif 000004
【図４】
0003706322.tif 000005
【図５】
0003706322.tif 000006
【図６】
0003706322.tif 000007
【図７】
0003706322.tif 000008
【図８】
0003706322.tif 000009
【図９】
0003706322.tif 000010
【図１０】
0003706322.tif 000011
【図１１】
0003706322.tif 000012